(57)【要約】【課題】空気調和機が設置された場所の室内温度と設定温度との関係を視覚上容易に把握することが可能な空調監視装置及び空調監視装置の温度情報表示方法を提供することを目的とする。【解決手段】空調監視装置３は、空調機４が設置された場所の室内温度及び設定温度に関する温度情報を取得する温度情報取得部２１と、温度情報に基づいて、温度の高低に対応した色情報を温度情報に対応付ける色情報対応付け部２２と、空調機４が設置された場所を示す場所文字列と共に、空調機４が設置された場所の温度情報を、温度情報に対応付けられた色情報に基づく色を用いて画面に表示させる表示制御部２３とを備える。【選択図】図１
2013164212.tif 000002
【特許請求の範囲】
【請求項１】
空気調和機が設置された場所の室内温度及び設定温度に関する温度情報を取得する温度情報取得手段と、
前記温度情報に基づいて、温度の高低に対応した色情報を前記温度情報に対応付ける色情報対応付け手段と、
前記空気調和機が設置された場所を示す場所文字列と共に、前記空気調和機が設置された場所の前記温度情報を、前記温度情報に対応付けられた前記色情報に基づく色を用いて画面に表示させる表示制御手段と、
を備える空調監視装置。
【請求項２】
前記表示制御手段は、前記画面上の所定領域に前記色情報に基づく色を表示して、前記温度情報のうち前記室内温度及び前記設定温度の少なくともいずれか一方を前記画面に表示させる請求項１に記載の空調監視装置。
【請求項３】
前記表示制御手段は、前記画面上の前記場所文字列を前記色情報に基づく色で表示して、前記温度情報のうち前記室内温度及び前記設定温度のいずれか一方を前記画面に表示させる請求項１に記載の空調監視装置。
【請求項４】
前記表示制御手段は、建物内における前記空気調和機が設置された場所の配置に対応するように、画面上に前記場所文字列と前記温度情報を配置して表示させる請求項１から３のいずれか１項に記載の空調監視装置。
【請求項５】
前記表示制御手段は、ユーザの選択に基づいて、前記温度情報のうち前記室内温度及び前記設定温度の少なくともいずれか一方の表示及び非表示を切り換える請求項１から４のいずれか１項に記載の空調監視装置。
【請求項６】
前記表示制御手段は、閾値に基づいて、前記温度情報のうち前記室内温度及び前記設定温度の少なくともいずれか一方の表示及び非表示を切り換える請求項１から４のいずれか１項に記載の空調監視装置。
【請求項７】
前記表示制御手段は、前記画面に表示された前記場所文字列が選択されたとき、前記場所文字列によって示された前記空気調和機が設置された場所の前記温度情報のうち前記室内温度及び前記設定温度の少なくともいずれか一方の数値を文字列で表示する請求項１から６のいずれか１項に記載の空調監視装置。
【請求項８】
空気調和機が設置された場所の室内温度及び設定温度に関する温度情報を取得するステップと、
前記温度情報に基づいて、温度の高低に対応した色情報を前記温度情報に対応付けるステップと、
前記空気調和機が設置された場所を示す場所文字列と共に、前記空気調和機が設置された場所の前記温度情報を、前記温度情報に対応付けられた前記色情報に基づく色を用いて画面に表示させるステップと、
を備える空調監視装置の温度情報表示方法。
【発明の詳細な説明】
【技術分野】
【０００１】
本発明は、空気調和機が設置された場所を監視する空調監視装置及び空調監視装置の温度情報表示方法に関するものである。
【背景技術】
【０００２】
ビル管理システムや空調監視システムなどによって、建物内に設置された複数台の空気調和機が集中的に管理される場合がある。これらのシステムでは、画面を介して空気調和機が設置された場所の室内温度や設定温度が監視され、必要に応じて空気調和機の運転が制御される。
特許文献１〜３には、設備機器や空気調和機の運転を管理するための画面表示に関する技術が開示されている。
【先行技術文献】
【特許文献】
【０００３】
【特許文献１】特開２００９−１３４４６９号公報
【特許文献２】特許第４３３５７３１号公報
【特許文献３】特開２００９−３６３９２号公報
【発明の概要】
【発明が解決しようとする課題】
【０００４】
ビル管理システムや空調監視システムなどにおいて、空気調和機が設置された場所の室内温度や設定温度は、画面上で、設置場所を示す文字列と温度値を示す文字列が一覧表示されることが多い。また、例えば特許文献１のように、空気調和機が設置された場所が建物の平面図を用いて画面に表示される場合でも、設置場所の室内温度や設定温度は温度値を示す文字列によって表示されている。
【０００５】
しかし、温度値が文字列によって表示されるため、空気調和機の設置場所の室内温度が設定温度に対して高いのか低いのかを、画面を一瞥して把握することが困難であった。また、設定温度自体の高低についても、温度値が文字列によって表示されるため、画面を一瞥して把握することが困難であり、例えば省エネを配慮した温度設定がされているのかを把握しづらかった。
【０００６】
本発明は、このような事情に鑑みてなされたものであって、空気調和機が設置された場所の室内温度と設定温度との関係を視覚上容易に把握することが可能な空調監視装置及び空調監視装置の温度情報表示方法を提供することを目的とする。
【課題を解決するための手段】
【０００７】
上記課題を解決するために、本発明の空調監視装置及び空調監視装置の温度情報表示方法は以下の手段を採用する。
本発明に係る空調監視装置は、空気調和機が設置された場所の室内温度及び設定温度に関する温度情報を取得する温度情報取得手段と、前記温度情報に基づいて、温度の高低に対応した色情報を前記温度情報に対応付ける色情報対応付け手段と、前記空気調和機が設置された場所を示す場所文字列と共に、前記空気調和機が設置された場所の前記温度情報を、前記温度情報に対応付けられた前記色情報に基づく色を用いて画面に表示させる表示制御手段とを備える。
【０００８】
この発明によれば、空気調和機が設置された場所の室内温度の高低と設定温度の高低が温度の高低に対応した色の違いによって画面に表示される。したがって、ユーザは、設定温度に対して室内温度が高いか又は低いかが視覚によって直感的に判断できる。
【０００９】
上記発明において、前記表示制御手段は、前記画面上の所定領域に前記色情報に基づく色を表示して、前記温度情報のうち前記室内温度及び前記設定温度の少なくともいずれか一方を前記画面に表示させてもよい。
【００１０】
この発明によれば、空気調和機が設置された場所の室内温度の高低と設定温度の高低は、画面上の所定の領域に表示された色によって区別可能に表示される。
【００１１】
上記発明において、前記表示制御手段は、前記画面上の前記場所文字列を前記色情報に基づく色で表示して、前記温度情報のうち前記室内温度及び前記設定温度のいずれか一方を前記画面に表示させてもよい。
【００１２】
この発明によれば、空気調和機が設置された場所の室内温度の高低と設定温度の高低は、画面上の場所文字列に表示された色によって区別可能に表示される。
【００１３】
上記発明において、前記表示制御手段は、建物内における前記空気調和機が設置された場所の配置に対応するように、画面上に前記場所文字列と前記温度情報を配置して表示させてもよい。
【００１４】
この発明によれば、建物内の空気調和機が設置された場所を、画面を介して空間的に把握することができ、例えば建物内のどの場所が設定温度に対して室内温度が高いか又は低いかが視覚によって直感的に判断できる。
【００１５】
上記発明において、前記表示制御手段は、ユーザの選択に基づいて、前記温度情報のうち前記室内温度及び前記設定温度の少なくともいずれか一方の表示及び非表示を切り換えてもよい。
【００１６】
この発明によれば、空気調和機が設置された場所の室内温度及び設定温度の少なくともいずれか一方について、ユーザの選択に基づいて、画面上に表示されたり表示されなかったりするため、温度の高低に応じた必要な情報のみを抽出して表示させるようにすることができる。
【００１７】
上記発明において、前記表示制御手段は、閾値に基づいて、前記温度情報のうち前記室内温度及び前記設定温度の少なくともいずれか一方の表示及び非表示を切り換えてもよい。
【００１８】
この発明によれば、空気調和機が設置された場所の室内温度及び設定温度の少なくともいずれか一方について、閾値に基づいて、画面上に表示されたり表示されなかったりするため、温度の高低に応じた必要な情報のみを抽出して表示させるようにすることができる。
【００１９】
上記発明において、前記表示制御手段は、前記画面に表示された前記場所文字列が選択されたとき、前記場所文字列によって示された前記空気調和機が設置された場所の前記温度情報のうち前記室内温度及び前記設定温度の少なくともいずれか一方の数値を文字列で表示してもよい。
【００２０】
この発明によれば、空気調和機が設置された場所の室内温度及び設定温度は、色の違いによって画面に表示されているところ、画面に表示された場所文字列が選択されたとき、空気調和機が設置された場所の室内温度及び設定温度の少なくともいずれか一方の数値が文字列で表示されることから、色による直感的な判断に加えて、正確な温度を把握することができる。
【００２１】
また、本発明に係る空調監視装置の温度情報表示方法は、空気調和機が設置された場所の室内温度及び設定温度に関する温度情報を取得するステップと、前記温度情報に基づいて、温度の高低に対応した色情報を前記温度情報に対応付けるステップと、前記空気調和機が設置された場所を示す場所文字列と共に、前記空気調和機が設置された場所の前記温度情報を、前記温度情報に対応付けられた前記色情報に基づく色を用いて画面に表示させるステップとを備える。
【発明の効果】
【００２２】
本発明によれば、空気調和機が設置された場所の室内温度と設定温度との関係を視覚上容易に把握することができる。
【図面の簡単な説明】
【００２３】
【図１】本発明の一実施形態に係るビル管理システムを示すブロック図である。
【図２】本実施形態に係る温度監視画面の一例を示す説明図である。
【図３】本実施形態に係る温度監視画面の一例を示す説明図である。
【図４】本実施形態に係る温度監視画面上の室内温度及び設定温度の色表示の一例を示す説明図である。
【図５】本実施形態に係る温度監視画面上の室内温度の色表示の一例を示す説明図である。
【図６】本実施形態に係る温度監視画面上の設定温度の色表示の一例を示す説明図である。
【図７】本実施形態に係る詳細画面の一例を示す説明図である。
【図８】本実施形態に係る詳細画面の一例を示す説明図である。
【発明を実施するための形態】
【００２４】
以下に、本発明に係る実施形態について、図面を参照して説明する。
以下、図１を参照して、本実施形態に係る空調監視装置３が適用されたビル管理システム１について説明する。
ビル管理システム１は、ＷＥＢブラウザが搭載されたクライアント端末２と、クライアント端末２からの指示に応じて、空気調和機（以下「空調機」という。）４の運転状態を監視し、クライアント端末２に対して空調機４の運転状態を提供する空調監視装置３などからなる。
【００２５】
クライアント端末２は、空調監視装置３から受信した運転状態に関する情報を解析して、表示画面に表示させる。このため、クライアント端末２は、図示しないＣＰＵ（中央演算装置）、ＲＯＭ（Read Only Memory）、ＲＡＭ（Random Access Memory）、入力装置、モニタ等を備える。
【００２６】
クライアント端末２と空調監視装置３とは、ビル管理通信ネットワーク５を介して接続されている。このビル管理通信ネットワーク５は、ビル管理用に標準規格化された通信プロトコル（例えば、ＴＣＰ／ＩＰ）を使用したネットワークであり、例えば、ＬＡＮ（Local Area Network）等である。また、空調監視装置３と空調機４とは、空調制御ネットワーク６を介して接続されている。この空調制御ネットワーク６は、空調機の制御監視用に標準規格化された通信プロトコルを使用したネットワークである。
【００２７】
次に、本実施形態に係る空調監視装置３について説明する。
空調監視装置３は、空調機４の運転状態を監視する監視部１１と、温度監視画面作成部１２と、クライアント端末２との間の通信を実現させるための通信部１３などからなる。
【００２８】
監視部１１は、所定の時間間隔で空調機４から現在の運転状態データを取得し、この運転状態情報をクライアント端末２へ送信する。ここで、運転状態データには、例えば、冷房運転、暖房運転、運転停止等の運転種別の情報の他、設定温度情報、室温情報等が含まれている。なお、この監視部１１により行われる処理は、公知の技術であるので、詳細は省略する。
【００２９】
温度監視画面作成部１２は、クライアント端末２等が備える表示手段としてのディスプレイに所定のレイアウト構造を有する情報画面を表示させるための表示制御情報を生成する。表示制御情報は、ＷＥＢページ作成言語であるＨＴＭＬ、ＸＭＬ等のマークアップ言語により生成されるものであるが、本実施形態ではＨＴＭＬを使用して作成される。作成された表示制御情報は、例えばクライアント端末２が搭載するＷＥＢブラウザによって解析され、実行されて、温度監視画面がモニタに表示される。
【００３０】
温度監視画面作成部１２は、例えば温度情報取得部２１と、色情報対応付け部２２と、表示制御部２３などからなる。
温度情報取得部２１は、空調機４が設置された場所の室内温度及び設定温度に関する温度情報を取得する。
色情報対応付け部２２は、温度情報取得部２１で取得された温度情報に基づいて、温度の高低に対応した色情報を温度情報に対応付ける。
【００３１】
表示制御部２３は、図２や図３に示すように、空気調和機が設置された場所を示す場所文字列４２と共に、空調機４が設置された場所の温度情報を、温度情報に対応付けられた色情報に基づく色を用いて温度監視画面４１に表示させる。表示制御部２３は、温度監視画面４１上の所定領域に色情報に基づく色を表示して、温度情報のうち室内温度及び設定温度を温度監視画面４１に表示させる。
【００３２】
また、表示制御部２３は、建物内における空調機４が設置された場所の配置に対応するように、温度監視画面４１上に場所文字列４２と温度情報を配置して表示させる。
更に、表示制御部２３は、ユーザの選択や閾値に基づいて、温度情報のうち室内温度及び設定温度の表示及び非表示を切り換える。
また更に、表示制御部２３は、温度監視画面４１に表示された場所文字列４２が選択されたとき、場所文字列４２によって示された空調機４が設置された場所の温度情報のうち室内温度及び設定温度の数値を文字列で表示する。
【００３３】
以下、図２〜図８を参照して、温度監視画面作成部１２によって作成される温度監視画面４１の表示方法について説明する。
まず、空調監視装置３は、所定の時間間隔で空調機４から現在の運転状態データを取得し、この運転状態情報（室内温度、設定温度などの温度情報を含む。）をクライアント端末２へ送信する。また、空調監視装置３は、温度監視画面４１を作成するための表示制御情報を作成する。作成された表示制御情報は、例えばクライアント端末２が搭載するＷＥＢブラウザによって解析され、実行されて、温度監視画面４１がモニタに表示される。空調監視装置３は、表示制御情報を作成する際に、取得された温度情報に基づいて、温度の高低に対応した色情報を温度情報に対応付ける。
【００３４】
温度監視画面４１には、１画面（例えば１ウインドウ）の中に建物内における空調機４が設置された複数の場所が同時に表示される。複数の場所とは、空調機４が設置された全ての場所でもよいし、監視が必要である主要な場所のみでもよい。
【００３５】
温度監視画面４１は、空調機４が設置された場所を示す場所文字列４２と温度情報を、建物の配置に対応するように表示することができる。図２に示す例では、１行ごとに空調機４の設置階が異なり、かつ画面の左から右への方向が建物の東から西への方向に対応している。また、図３に示す例では、３行ごとに空調機４の設置階が異なる。そして、各階の表示は、建物のフロア平面を斜めにして表示しており、奥行き感を与えている。これにより、各フロアの東西南北又は中央に対応する位置などを表すことができる。
【００３６】
なお、温度監視画面４１で表示される空調機４が設置された場所は、図２及び図３に示すように、例えば建物内の部屋である。なお、表示される設置場所は、（１）建物内の東西南北の大まかな区画、（２）フロア区画、又は（３）テナント区画でもよく、ユーザの要求に応じて任意に設定される。
【００３７】
図２及び図３に示す例は、厳密な建物の平面プランを表していないが、ある程度のイメージをユーザに与えることができる。また、このような行表示で場所文字列４２を表現する方法は、ＷＥＢページ作成言語であるＨＴＭＬなどで容易に実現できる。また、この表示方法によれば、ビル管理システム１を導入する際に様々な建物に対応できることから、汎用性が高い。
【００３８】
温度監視画面４１では、場所文字列４２に対応して、空調機４が設置された場所の室内温度及び設定温度に関する温度情報も同時に表示される。温度情報は、例えば場所文字列４２の背景色として表現される。背景色の色の種類又は色の濃度は、温度の高低に対応して決定しておく。図２及び図３に示す例では、温度監視画面４１の凡例５１に示すように濃い色が低温に該当し、薄い色が高温に該当しており、高温になるにつれて次第に色が薄くなるように対応付けられている。
【００３９】
本実施形態では、図４に示すように、場所文字列４２と運転状態アイコン３３の両者の背景である第１領域３１が室内温度を表す色を表示し、場所文字列４２の背景である第２領域３２が設定温度を表す色を表示する。
【００４０】
図４に示す例では、室内温度を表す第１領域３１の色が薄く、設定温度を表す第２領域３２の色が濃い。すなわち、色の違いによって、室内温度が高く、設定温度が低いことが分かる。また、室内温度が設定温度に比べて高いことが一瞥して分かる。このような室内温度と設定温度の関係を、色を用いてかつ所定領域を塗りつぶした表示をすることによって、ユーザは視覚によって温度の高低を直感的に判断できる。
【００４１】
なお、本実施形態では、所定領域の色の違いによって温度を表すとしたが、例えば場所文字列４２の色を室内温度又は設定温度の温度に対応付けて表示してもよい。
【００４２】
また、本実施形態では、図４、図５及び図６に示すように、室内温度及び設定温度それぞれの表示及び非表示を切り換えられるようにしてもよい。例えば、図２及び図３に示す温度監視画面４１上のラジオボタン５２の選択によって、室内温度及び設定温度の表示と非表示が切り換わる。
【００４３】
図４は、室内温度と設定温度の両者を表示するようにした場合である。一方、図５は、室内温度を表示し、設定温度を非表示とした場合であり、図６は、室内温度を非表示とし、設定温度を表示した場合である。このように、室内温度と設定温度の表示及び非表示を切り換え可能にすることによって、温度監視画面４１上で建物内の室内温度の分布や設定温度の分布を一瞥して判断できる。
【００４４】
更に、本実施形態では、温度閾値を用いて、選択した温度閾値以上又は温度閾値以下の室内温度になっている場所のみ室内温度を表す第１領域３１が、画面に表示されるようにしてもよい。図２及び図３は、それぞれ２５℃以下、２７℃以下の場所のみ第１領域３１が色を用いて表示されている。
【００４５】
温度閾値と範囲は、図２及び図３に示すように、例えば温度監視画面４１上のプルダウン５３の中から選択されることによって設定される。これにより、室内温度が選択した温度閾値以上又は温度閾値以下である場所を一瞥して判断できる。例えば、冷房時、「室内温度２７℃以下」表示とすると、社内基準２８℃を下回っている部署（場所）を見つけ出すことができ、設定温度の緩和を促すことができる。反対に、冷房時、「室内温度２９℃以上」表示とすると、設定温度との比較で、空調機４の効きが悪いものを見つけ出すことができ、空調機４のフィルタ清掃、点検を促すことができる。
【００４６】
また、設定温度についても、同様に、温度監視画面４１上にプルダウン５３を設けて、温度閾値以上又は温度閾値以下の設定温度になっている場所のみ設定温度を表す第２領域３２が、画面に表示されるようにしてもよい。例えば、冷房時、「設定温度２７℃以下」表示とすると、社内設定温度基準２８℃を下回っている部署（場所）を見つけ出すことができ、設定温度の緩和を促すことができる。
なお、プルダウン５３は、室内温度用と設定温度用それぞれ設けられてもよいし、いずれか一つのみ設けられてもよい。
【００４７】
また更に、本実施形態では、温度監視画面４１上の場所文字列４２やフロアを示すフロア文字列４３が選択されることによって、別画面が開かれて、室内温度や設定温度の数値が表示されるようにしてもよい。これにより、数値の文字列によって、室内温度や設定温度が表されることから、色による直感的な判断に加えて、正確な温度を把握することができる。図７には、部屋ごとの詳細画面４４の一例を示し、図８には、１画面内に複数の部屋ごとの詳細が表示される詳細画面４５の一例を示した。詳細画面４４，４５には、室内温度及び設定温度のほかに、空調機４の運転状態や運転モード、風量などが表示されている。
【００４８】
以上、本実施形態によれば、ＷＥＢページ作成言語であるＨＴＭＬなどで温度監視画面４１の表示を容易に実現できることから、建物ごとに専用の画面アプリケーションソフトを作成する必要がない。
【００４９】
また、従来のように、室内温度や設定温度が数値による文字列で一覧表示される場合に比べて、直感的に温度の高低を判断できる。例えば、室内温度と設定温度との関係が色によって表示されることから、例えば冷房時の冷やし過ぎや暖房時の暖め過ぎなどが一瞥して理解できる。また、空間的に場所文字列４２を表示した場合、例えば南側が暑いなどを容易に判断できる。更に、時間変化についても、ビル全体のどこの場所がどのように徐々に変化しているかも把握することができる。また更に、背景色表示を「○○℃以下」等に制限することで、冷やし過ぎ、暖め過ぎ又は設定温度範囲違反の場所などを浮かび上がらせることができ、温度監視の必要な場所を明示することができる。
【符号の説明】
【００５０】
１  ビル管理システム
２  クライアント端末
３  空調監視装置
４  空調機（空気調和機）
５  ビル管理通信ネットワーク
６  空調制御ネットワーク
１１  監視部
１２  温度監視画面作成部
１３  通信部
２１  温度情報取得部（温度情報取得手段）
２２  色情報対応付け部（色情報対応付け手段）
２３  表示制御部（表示制御手段）
３１  第１領域
３２  第２領域
３３  運転状態アイコン
４１  温度監視画面
４２  場所文字列
４３  フロア文字列
４４，４５  詳細画面
５１  凡例
５２  ラジオボタン
５３  プルダウン
【図１】
2013164212.tif 000003
【図２】
2013164212.tif 000004
【図３】
2013164212.tif 000005
【図４】
2013164212.tif 000006
【図５】
2013164212.tif 000007
【図６】
2013164212.tif 000008
【図７】
2013164212.tif 000009
【図８】
2013164212.tif 000010